【手続補正書】
【提出日】平成26年8月1日(2014.8.1)
【手続補正１】
【補正対象書類名】特許請求の範囲
【補正対象項目名】全文
【補正方法】変更
【補正の内容】
【特許請求の範囲】
【請求項１】
光源、及び、画像信号に基づき前記光源からの光の透過率を制御するデバイスを有する表示パネル部と、
入力画像信号の各フレームを複数のサブフレームに分け、前記複数のサブフレームの画像信号を前記入力画像信号よりも高いフレームレートで前記表示パネル部に出力する画像処理部と、
前記光源の光量を制御する光源制御部と、を備え、
前記画像処理部は、
前記複数のサブフレームのうちの第１サブフレームの画像信号に対して、空間的な高周波成分を強調する高域強調処理を施し、前記第１サブフレームと異なる第２サブフレームの画像信号に対して、空間的な高周波成分を抑圧する高域抑圧処理を施すフィルタ部と、
前記第１サブフレームの画像信号と前記第２サブフレームの画像信号に対して、それぞれ異なるレベル調整処理を施すレベル調整部と、を有し、
前記光源制御部は、前記レベル調整処理が施された画像信号が出力されるサブフレームの期間の前記光源の光量を、前記レベル調整処理が施された画像信号に応じて制御する
ことを特徴とする画像表示装置。
【請求項２】
前記レベル調整処理は、画像信号の階調性を維持したまま画像信号の画素の値を全体的に変換する処理であることを特徴とする請求項１に記載の画像表示装置。
【請求項３】
前記レベル調整部は、前記第１サブフレームの画像信号に対して、各画素の値を一律に小さくするレベル調整処理を施し、前記第２サブフレームの画像信号に対してレベル調整処理を行わず、
前記光源制御部は、前記第１サブフレームの期間の前記光源の光量を、前記レベル調整処理が施されていない画像信号を出力する場合の標準光量に比べて増加させ、前記第２サブフレームの期間の前記光源の光量を前記標準光量とする制御を行う
ことを特徴とする請求項１または２に記載の画像表示装置。
【請求項４】
前記レベル調整部は、前記第１サブフレームの画像信号に対して、各画素の値を一律に小さくするレベル調整処理を施し、前記第２サブフレームの画像信号に対して、各画素の値を一律に大きくするレベル調整処理を施し、
前記光源制御部は、前記第１サブフレームの期間の前記光源の光量を、前記レベル調整処理が施されていない画像信号を出力する場合の標準光量に比べて増加させ、前記第２サブフレームの期間の前記光源の光量を前記標準光量に比べて低下させる制御を行う
ことを特徴とする請求項１または２に記載の画像表示装置。
【請求項５】
前記レベル調整部において、前記各画素の値を一律に小さくするレベル調整処理とは、画像信号の各画素の値に１より小さい係数を掛ける処理であり、前記各画素の値を一律に大きくするレベル調整処理とは、画像信号の各画素の値に１より大きい係数を掛ける処理である
ことを特徴とする請求項４に記載の画像表示装置。
【請求項６】
前記フィルタ部は、
前記複数のサブフレームのうちの第１サブフレームの画像信号に対して、空間的な高周波成分を強調する高域強調処理を施した画像信号と共に、前記第１サブフレームの画像信号に対して、空間的な高周波成分を抑圧した補償画像信号を生成し、
前記画像処理部は、
前記フィルタ部により生成された前記補償画像信号における画素の値のピーク値を検出するピーク検出部と、
前記ピーク検出部により検出されたピーク値に応じて前記係数を決定する制御部と、を有する
ことを特徴とする請求項５に記載の画像表示装置。
【請求項７】
前記フィルタ部は、
前記複数のサブフレームのうちの第２サブフレームの画像信号に対して、空間的な高周波成分を抑圧する高域抑圧処理を施した画像信号と共に、前記第２サブフレームの画像信号に対して、空間的な高周波成分を強調した補償画像信号を生成し、
前記画像処理部は、
前記フィルタ部により生成された前記補償画像信号における画素の値のピーク値を検出するピーク検出部と、
前記ピーク検出部により検出されたピーク値に応じて前記係数を決定する制御部と、を有する
ことを特徴とする請求項５に記載の画像表示装置。
【請求項８】
前記制御部は、前記ピーク検出部により検出された前記ピーク値に前記係数を掛けた値が、前記表示パネル部に対して出力し得る画像信号の最大値に等しくなるように、前記係数を決定する
ことを特徴とする請求項６または７に記載の画像表示装置。
【請求項９】
前記フィルタ部は、
前記フィルタ部に入力された元画像信号から高周波成分信号を抽出するハイパスフィルタと、
前記元画像信号が前記第１サブフレームの画像信号である場合に正、前記元画像信号が前記第２サブフレームの画像信号である場合に負となるように、前記ハイパスフィルタで抽出された高周波成分信号の符号を反転させる符号反転部と、
前記符号反転部から出力される高周波成分信号を前記元画像信号に加算する加算部と、
前記符号反転部から出力される高周波成分信号を前記元画像信号から減算する減算部と、
を有しており、
前記加算部から出力される画像信号が前記レベル調整部に入力され、
前記減算部から出力される画像信号が前記ピーク検出部に入力される
ことを特徴とする請求項６から８のいずれか一項に記載の画像表示装置。
【請求項１０】
光源、及び、画像信号に基づき前記光源からの光の透過率を制御するデバイスを有する表示パネル部を備える画像表示装置の制御方法であって、
入力画像信号の各フレームを複数のサブフレームに分ける分割ステップと、
前記複数のサブフレームのうちの第１サブフレームの画像信号に対して、空間的な高周波成分を強調する高域強調処理を施し、前記第１サブフレームと異なる第２サブフレームの画像信号に対して、空間的な高周波成分を抑圧する高域抑圧処理を施すフィルタステップと、
前記第１サブフレームの画像信号と前記第２サブフレームの画像信号に対して、それぞれ異なるレベル調整処理を施すレベル調整ステップと、
前記複数のサブフレームの画像信号を前記入力画像信号よりも高いフレームレートで前記表示パネル部に出力する画像処理ステップと、
を有し、
前記レベル調整処理が施された画像信号が出力されるサブフレームの期間の前記光源の光量が、前記レベル調整処理が施された画像信号に応じて制御される
ことを特徴とする画像表示装置の制御方法。
【請求項１１】
前記レベル調整処理は、画像信号の階調性を維持したまま画像信号の画素の値を全体的に変換する処理であることを特徴とする請求項１０に記載の画像表示装置の制御方法。
【請求項１２】
前記レベル調整ステップでは、前記第１サブフレームの画像信号に対して、各画素の値を一律に小さくするレベル調整処理を施し、前記第２サブフレームの画像信号に対してレベル調整処理を行わず、
前記第１サブフレームの期間の前記光源の光量を、前記レベル調整処理が施されていない画像信号を出力する場合の標準光量に比べて増加させ、前記第２サブフレームの期間の前記光源の光量を前記標準光量とする制御が行われる
ことを特徴とする請求項１０または１１に記載の画像表示装置の制御方法。
【請求項１３】
前記レベル調整ステップでは、前記第１サブフレームの画像信号に対して、各画素の値を一律に小さくするレベル調整処理を施し、前記第２サブフレームの画像信号に対して、各画素の値を一律に大きくするレベル調整処理を施し、
前記第１サブフレームの期間の前記光源の光量を、前記レベル調整処理が施されていない画像信号を出力する場合の標準光量に比べて増加させ、前記第２サブフレームの期間の前記光源の光量を前記標準光量に比べて低下させる制御が行われる
ことを特徴とする請求項１０または１１に記載の画像表示装置の制御方法。
【請求項１４】
前記レベル調整ステップにおいて、前記各画素の値を一律に小さくするレベル調整処理とは、画像信号の各画素の値に１より小さい係数を掛ける処理であり、前記各画素の値を一律に大きくするレベル調整処理とは、画像信号の各画素の値に１より大きい係数を掛ける処理である
ことを特徴とする請求項１３に記載の画像表示装置の制御方法。
【請求項１５】
前記フィルタステップでは、
前記複数のサブフレームのうちの第１サブフレームの画像信号に対して、空間的な高周波成分を強調する高域強調処理を施した画像信号と共に、前記第１サブフレームの画像信号に対して、空間的な高周波成分を抑圧した補償画像信号を生成し、
前記画像処理ステップは、
前記フィルタステップにより生成された前記補償画像信号における画素の値のピーク値を検出するピーク検出ステップと、
前記ピーク検出ステップにより検出されたピーク値に応じて前記係数を決定する制御ステップと、を含む
ことを特徴とする請求項１４に記載の画像表示装置の制御方法。
【請求項１６】
前記フィルタステップでは、
前記複数のサブフレームのうちの第２サブフレームの画像信号に対して、空間的な高周波成分を抑圧する高域抑圧処理を施した画像信号と共に、前記第２サブフレームの画像信号に対して、空間的な高周波成分を強調した補償画像信号を生成し、
前記画像処理ステップは、
前記フィルタ部により生成された前記補償画像信号における画素の値のピーク値を検出するピーク検出ステップと、
前記ピーク検出ステップにより検出されたピーク値に応じて前記係数を決定する制御ステップと、を含む
ことを特徴とする請求項１４に記載の画像表示装置の制御方法。
【請求項１７】
前記制御ステップでは、前記ピーク検出ステップにより検出された前記ピーク値に前記係数を掛けた値が、前記表示パネル部に対して出力し得る画像信号の最大値に等しくなるように、前記係数を決定する
ことを特徴とする請求項１５または１６に記載の画像表示装置の制御方法。
【請求項１８】
前記フィルタステップは、
元画像信号から高周波成分信号を抽出するハイパスフィルタステップと、
前記元画像信号が前記第１サブフレームの画像信号である場合に正、前記元画像信号が前記第２サブフレームの画像信号である場合に負となるように、前記ハイパスフィルタステップで抽出された高周波成分信号の符号を反転させる符号反転ステップと、
前記符号反転ステップで生成された高周波成分信号を前記元画像信号に加算する加算ステップと、
前記符号反転ステップで生成された高周波成分信号を前記元画像信号から減算する減算ステップと、
を含み、
前記レベル調整ステップでは、前記加算ステップで生成された画像信号にレベル調整処理を施し、
前記ピーク検出ステップでは、前記減算ステップで生成された画像信号における画素の値のピーク値を検出する
ことを特徴とする請求項１５から１７のいずれか一項に記載の画像表示装置の制御方法。
【請求項１９】
マトリックス状に並べられた冷陰極素子から画像信号に基づき電子を放出させ、放出された電子を加速電圧で加速し、蛍光体に衝突させ発光させる自発光型の表示パネル部と、入力画像信号の各フレームを複数のサブフレームに分け、前記複数のサブフレームの画像信号を前記入力画像信号よりも高いフレームレートで前記表示パネル部に出力する画像処理部と、
前記加速電圧を制御する加速電圧制御部と、を備え、
前記画像処理部は、
前記複数のサブフレームのうちの第１サブフレームの画像信号に対して、空間的な高周波成分を強調する高域強調処理を施し、前記第１サブフレームと異なる第２サブフレームの画像信号に対して、空間的な高周波成分を抑圧する高域抑圧処理を施すフィルタ部と、
前記第１サブフレームの画像信号と前記第２サブフレームの画像信号に対して、それぞれ異なるレベル調整処理を施すレベル調整部と、を有し、
前記加速電圧制御部は、前記レベル調整処理が施された画像信号が出力されるサブフレームの期間の前記加速電圧を、前記レベル調整処理が施された画像信号に応じて制御する
ことを特徴とする画像表示装置。
【請求項２０】
光源、及び、画像信号に基づき前記光源からの光の透過率を制御するデバイスを有する表示パネル部と、
入力画像信号の各フレームを複数のサブフレームに分け、前記複数のサブフレームの画像信号を前記入力画像信号よりも高いフレームレートで前記表示パネル部に出力する画像処理部と、
前記光源の光量を制御する光源制御部と、を備え、
前記画像処理部は、
前記複数のサブフレームのうちの第１サブフレームの画像信号に対して、空間的な高周波成分を強調する高域強調処理を施すフィルタ部と、
少なくとも前記第１サブフレームの画像信号に対して、各画素の値を一律に小さくするレベル圧縮処理を施すレベル調整部と、を有し、
前記光源制御部は、前記レベル圧縮処理が施された画像信号が出力されるサブフレームの期間の前記光源の光量を、前記レベル圧縮処理が施されていない画像信号を出力する場合の標準光量に比べて、増加させる
ことを特徴とする画像表示装置。
【手続補正２】
【補正対象書類名】明細書
【補正対象項目名】０００６
【補正方法】変更
【補正の内容】
【０００６】
本発明の第１態様は、光源、及び、画像信号に基づき前記光源からの光の透過率を制御するデバイスを有する表示パネル部と、入力画像信号の各フレームを複数のサブフレームに分け、前記複数のサブフレームの画像信号を前記入力画像信号よりも高いフレームレートで前記表示パネル部に出力する画像処理部と、前記光源の光量を制御する光源制御部と、を備え、前記画像処理部は、前記複数のサブフレームのうちの第１サブフレームの画像信号に対して、空間的な高周波成分を強調する高域強調処理を施し、前記第１サブフレームと異なる第２サブフレームの画像信号に対して、空間的な高周波成分を抑圧する高域抑圧処理を施すフィルタ部と、前記第１サブフレームの画像信号と前記第２サブフレームの画像信号に対して、それぞれ異なるレベル調整処理を施すレベル調整部と、を有し、前記光源制御部は、前記レベル調整処理が施された画像信号が出力されるサブフレームの期間の前記光源の光量を、前記レベル調整処理が施された画像信号に応じて制御する、画像表示装置を提供する。
【手続補正３】
【補正対象書類名】明細書
【補正対象項目名】０００７
【補正方法】変更
【補正の内容】
【０００７】
本発明の第２態様は、光源、及び、画像信号に基づき前記光源からの光の透過率を制御するデバイスを有する表示パネル部を備える画像表示装置の制御方法であって、入力画像信号の各フレームを複数のサブフレームに分ける分割ステップと、前記複数のサブフレームのうちの第１サブフレームの画像信号に対して、空間的な高周波成分を強調する高域強調処理を施し、前記第１サブフレームと異なる第２サブフレームの画像信号に対して、空間的な高周波成分を抑圧する高域抑圧処理を施すフィルタステップと、前記第１サブフレームの画像信号と前記第２サブフレームの画像信号に対して、それぞれ異なるレベル調整処理を施すレベル調整ステップと、前記複数のサブフレームの画像信号を前記入力画像信号よりも高いフレームレートで前記表示パネル部に出力する画像処理ステップと、を有し
、前記レベル調整処理が施された画像信号が出力されるサブフレームの期間の前記光源の光量が、前記レベル調整処理が施された画像信号に応じて制御される、画像表示装置の制御方法を提供する。
【手続補正４】
【補正対象書類名】明細書
【補正対象項目名】０００８
【補正方法】変更
【補正の内容】
【０００８】
本発明の第３態様は、マトリックス状に並べられた冷陰極素子から画像信号に基づき電子を放出させ、放出された電子を加速電圧で加速し、蛍光体に衝突させ発光させる自発光型の表示パネル部と、入力画像信号の各フレームを複数のサブフレームに分け、前記複数のサブフレームの画像信号を前記入力画像信号よりも高いフレームレートで前記表示パネル部に出力する画像処理部と、前記加速電圧を制御する加速電圧制御部と、を備え、前記画像処理部は、前記複数のサブフレームのうちの第１サブフレームの画像信号に対して、空間的な高周波成分を強調する高域強調処理を施し、前記第１サブフレームと異なる第２サブフレームの画像信号に対して、空間的な高周波成分を抑圧する高域抑圧処理を施すフィルタ部と、前記第１サブフレームの画像信号と前記第２サブフレームの画像信号に対して、それぞれ異なるレベル調整処理を施すレベル調整部と、を有し、前記加速電圧制御部は、前記レベル調整処理が施された画像信号が出力されるサブフレームの期間の前記加速電圧を、前記レベル調整処理が施された画像信号に応じて制御する画像表示装置を提供する。